(57)【要約】      （修正有）【課題】施錠位置に制限を加えることなく、施解錠操作を容易にできる施錠機構の操作装置及び建具を提供する。【解決手段】操作ハンドル４４の旋回操作により開閉リンク機構５０を介して障子２０を開閉移動させるようにした建具に適用する施錠機構の操作装置であって、下枠部材１２の長手方向に沿い、かつ長手方向の中心軸回りに回転可能となる状態で下枠部材１２に支持されるロッド部材９０と、スライダの移動をロッド部材９０の回転に変換する動力変換機構８２，９２とを備え、障子が閉じた状態にあり、かつ施錠機構６０が施錠状態にある際に障子を開くべく操作ハンドル４４が旋回操作された場合、ロッド部材９０の回転を施錠機構の解錠操作として施錠機構に伝達するようにした。【選択図】図１
2015151825.tif 000002
【特許請求の範囲】
【請求項１】
開口枠に旋回可能に配設される操作ハンドルと、
前記開口枠及び障子の間に設けられる開閉リンク機構と、
前記操作ハンドル及び前記開閉リンク機構の間に介在し、前記操作ハンドルの旋回操作によって直線上を往復移動することにより前記開閉リンク機構を介して前記障子を開閉移動させるスライダと
を備えた建具に適用する施錠機構の操作装置であって、
前記開口枠を構成する枠部材の長手方向に沿い、かつ長手方向の中心軸回りに回転可能となる状態で前記枠部材に支持されるロッド部材と、
前記スライダの移動を前記ロッド部材の回転に変換する動力変換機構と
を備え、前記障子が閉じた状態にあり、かつ施錠機構が施錠状態にある際に前記障子を開くべく前記操作ハンドルが旋回操作された場合、前記ロッド部材の回転を前記施錠機構の解錠操作として当該施錠機構に伝達することを特徴とする施錠機構の操作装置。
【請求項２】
前記動力変換機構は、
前記ロッド部材の長手方向に沿って移動可能となる状態で枠部材に配設され、かつ前記スライダに連結したスライドバーと、
前記ロッド部材から長手方向に交差する方向に突出するように設けた従動片と、
前記スライドバーが前記ロッド部材の長手方向に沿って移動した場合に前記従動片に当接することにより前記ロッド部材を長手方向の中心軸回りに回転させるカム部材と、
を備え、前記従動片が予め設定した初期位置に配置された場合に前記施錠機構が施錠状態となり、かつ前記従動片に前記カム部材が当接することによって前記ロッド部材が回転した場合に前記施錠機構を解錠状態に移行させるように前記ロッド部材と前記施錠機構との間を連係させたことを特徴とする請求項１に記載の施錠機構の操作装置。
【請求項３】
前記ロッド部材と前記施錠機構との間を連係する連係機構は、
前記ロッド部材から長手方向に交差する方向に突出するように設けたストライカと、
前記ロッド部材に対して直交する方向に沿って延在し、長手方向の中心軸回りに回転可能となる状態で前記枠部材に直交する直交枠部材に支持されており、所定の解錠方向に回転した場合に前記施錠機構を解錠状態に移行させる延長軸部材と、
前記延長軸部材から長手方向に交差する方向に突出するように配設し、前記従動片に前記カム部材が当接することによって前記ロッドが回転した場合に前記ストライカに当接することにより、前記延長軸部材を前記解錠方向に回転させる入力片部と
を備えたことを特徴とする請求項２に記載の施錠機構の操作装置。
【請求項４】
前記ストライカは、前記ロッド部材の長手方向に沿って移動することにより、前記入力片部との当接位置が変化するように設けたことを特徴とする請求項３に記載の施錠機構の操作装置。
【請求項５】
前記ロッド部材には、前記従動片と前記カム部材との当接状態が解除された場合に前記従動片を初期位置に復帰させる復帰バネを連係させたことを特徴とする請求項２に記載の施錠機構の操作装置。
【請求項６】
前記施錠機構は、常時施錠状態に付勢する施錠バネを備えたものであり、この施錠バネの付勢力によって前記従動片を初期位置に復帰させることを特徴する請求項５に記載の施錠機構の操作装置。
【請求項７】
前記従動片は、前記スライドバーの移動に伴って前記カム部材が当接し、前記施錠機構が施錠状態から解錠状態に移行された後においては前記スライドバーが同方向にさらに移動している間に前記カム部材との当接状態が解除されるように前記ロッド部材の長手方向に沿った寸法を設定したことを特徴とする請求項５に記載の施錠機構の操作装置。
【請求項８】
前記開閉リンク機構は、前記障子が閉じた状態にあり、かつ前記施錠機構が施錠状態にある際に前記障子を開くべく前記操作ハンドルが旋回操作された場合、前記施錠機構が解錠状態に移行するまでの間、前記スライダから前記障子への動力伝達を断つ間欠駆動部を有したことを特徴とする請求項１に記載の施錠機構の操作装置。
【請求項９】
請求項１〜請求項８のいずれか一つに記載した施錠機構の操作装置を備えることを特徴とする建具。
【発明の詳細な説明】
【技術分野】
【０００１】
本発明は、施錠機構の操作装置及びこの操作装置を備えた建具に関するものである。
【背景技術】
【０００２】
縦すべり出し窓等の建具には、操作ハンドルの旋回操作により開口枠に対して障子を開閉移動させるようにしたものがある。この種の建具では、開口枠と障子との間に開閉リンク機構が設けられ、さらに操作ハンドルと開閉リンク機構との間にスライドバーが設けられている。操作ハンドルは、例えば、基端部に旋回軸部材を有し、この旋回軸部材を中心として旋回可能となる状態で開口枠に設けられている。スライドバーは、操作ハンドルが旋回操作された場合に直線上を往復移動することにより、開閉リンク機構を動作させて障子を開閉移動させるものである。
【０００３】
また、開口枠と障子との間には、施錠機構が設けられている。施錠機構は、開口枠に対して障子を閉じた状態に維持するためのもので、施解錠操作するための操作部材が枠部材に設けられている。上述した開口枠に対して障子を開閉移動させるための操作ハンドルと、施錠機構を施解錠操作するための操作部材とが別個に設けられた建具では、操作が煩わしいばかりでなく、施錠機構の施錠操作を忘れてしまうおそれもある。
【０００４】
このため、従来では、操作ハンドルの操作によって施錠機構を操作するようにしたものが提供されている。例えば、特許文献１の施錠機構は、フック部材及びカム部材を備えている。フック部材は、スライドバーの先端部に回転可能に支持され、障子に設けられた係合部材に対して係合された施錠状態と、係合部材に対して非係合となる解錠状態との間を移動する。カム部材は、開口枠に取り付けられたもので、スライドバーが往復移動された場合にフック部材を施錠状態と解錠状態とに切り替えるものである。
【０００５】
この建具では、開口枠に対して障子が閉じている場合、施錠機構のフック部材が施錠状態にある。フック部材が施錠状態となっている場合には、フック部材が障子の係合部材に係合することによって開口枠に対する障子の開く方向への移動が阻止される。この状態において操作ハンドルを開方向に旋回操作すると、操作ハンドルの旋回移動に伴ってスライドバーが移動され、カム部材に係合することによってフック部材が解錠状態となる。さらに操作ハンドルを開方向に旋回操作すると、スライドバーの移動により開閉リンク機構を介して障子が開く方向に移動する。
【０００６】
一方、障子が開いた状態において操作ハンドルを閉方向に旋回操作すると、操作ハンドルの旋回移動に伴ってスライドバーが逆方向に移動され、開閉リンク機構を介して障子が閉じる方向に移動する。障子が閉じた状態で操作ハンドルをさらに閉方向に旋回操作すると、スライドバーがカム部材に係合することによってフック部材が施錠状態に復帰し、障子が閉じた状態に維持される。
【０００７】
この種の建具によれば、操作ハンドルの旋回操作によって障子の開閉移動と施錠機構の施解錠操作とを行うことができるため、障子を開閉する際の操作性を向上させることが可能となる（例えば、特許文献１参照）。
【先行技術文献】
【特許文献】
【０００８】
【特許文献１】特開平７−２０８０１５号公報
【発明の概要】
【発明が解決しようとする課題】
【０００９】
ところで、上述の建具に適用される施錠機構は、開口枠に対して障子を開ける場合、障子の開移動に先立ってフック部材が開錠状態とならなければならない。すなわち、開口枠に対して障子を開ける場合には、フック部材が開錠状態となった後においても、障子が全開となるまではスライドバーが継続して移動する必要がある。このため、カム部材を設ける位置は、解錠後に障子が全開となるまでのスライドバーの移動領域を確保した位置に制限される。具体的に説明すれば、スライドバーが下枠部材に沿って配置されている場合、カム部材を設ける位置、換言すれば施錠機構の施錠位置は、下枠部材の見込み面において縦枠部材から少なくともスライドバーの移動領域に相当する距離だけ離れた位置に制限されることになる。従って、特許文献１に記載のものにあっては、下枠部材と縦枠部材との接続部分にさえ施錠機構の施錠位置を設けることが困難となり、例えば戸先となる縦框部材と縦枠部材との間が施錠位置となるように施錠機構を設けるという要求があった場合にもこれに応えることができない。
【００１０】
本発明は、上記実情に鑑みて、施錠位置に制限を加えることなく、施解錠操作を容易に行うことのできる施錠機構の操作装置及び建具を提供することを目的とする。
【課題を解決するための手段】
【００１１】
上記目的を達成するため、本発明に係る施錠機構の操作装置は、開口枠に旋回可能に配設される操作ハンドルと、前記開口枠及び障子の間に設けられる開閉リンク機構と、前記操作ハンドル及び前記開閉リンク機構の間に介在し、前記操作ハンドルの旋回操作によって直線上を往復移動することにより前記開閉リンク機構を介して前記障子を開閉移動させるスライダとを備えた建具に適用する施錠機構の操作装置であって、前記開口枠を構成する枠部材の長手方向に沿い、かつ長手方向の中心軸回りに回転可能となる状態で前記枠部材に支持されるロッド部材と、前記スライダの移動を前記ロッド部材の回転に変換する動力変換機構とを備え、前記障子が閉じた状態にあり、かつ施錠機構が施錠状態にある際に前記障子を開くべく前記操作ハンドルが旋回操作された場合、前記ロッド部材の回転を前記施錠機構の解錠操作として当該施錠機構に伝達することを特徴とする。
【００１２】
この発明によれば、スライダの移動がロッド部材の回転に変換されて施錠機構の解錠操作として伝達されるため、施錠機構が解錠状態となった後に障子が全開となるまでスライダを移動させた場合にもロッド部材はその場で回転するだけであり、周囲にロッド部材の移動領域を確保する必要がなく、施錠機構による施錠位置に制限を加えることもない。
【００１３】
また本発明は、上述した施錠機構の操作装置において、前記動力変換機構は、前記ロッド部材の長手方向に沿って移動可能となる状態で枠部材に配設され、基端部を介して前記スライダに連結したスライドバーと、前記ロッド部材から長手方向に交差する方向に突出するように設けた従動片と、前記スライドバーが前記ロッド部材の長手方向に沿って移動した場合に前記従動片に当接することにより前記ロッド部材を長手方向の中心軸回りに回転させるカム部材とを備え、前記従動片が予め設定した初期位置に配置された場合に前記施錠機構が施錠状態となり、かつ前記従動片に前記カム部材が当接することによって前記ロッド部材が回転した場合に前記施錠機構を解錠状態に移行させるように前記ロッド部材と前記施錠機構との間を連係させたことを特徴とする。
【００１４】
この発明によれば、スライドバーの移動によってカム部材が従動片に当接し、これに応じてロッド部材が回転することになり、複雑な構造を要することなく装置の具現化を図ることができる。
【００１５】
また本発明は、上述した施錠機構の操作装置において、前記ロッド部材と前記施錠機構との間を連係する連係機構は、前記ロッド部材から長手方向に交差する方向に突出するように設けたストライカと、前記ロッド部材に対して直交する方向に沿って延在し、長手方向の中心軸回りに回転可能となる状態で前記枠部材に直交する直交枠部材に支持されており、所定の解錠方向に回転した場合に前記施錠機構を解錠状態に移行させる延長軸部材と、前記延長軸部材から長手方向に交差する方向に突出するように配設し、前記従動片に前記カム部材が当接することによって前記ロッドが回転した場合に前記ストライカに当接することにより、前記延長軸部材を前記解錠方向に回転させる入力片部とを備えたことを特徴とする。
【００１６】
この発明によれば、ロッド部材を支持させた框部材に対して直交する框部材に施錠機構を設けることができる。
【００１７】
また本発明は、上述した施錠機構の操作装置において、前記ストライカは、前記ロッド部材の長手方向に沿って移動することにより、前記入力片部との当接位置が変化するように設けたことを特徴とする。
【００１８】
この発明によれば、ロッド部材が回転した場合の延長軸部の回転角度を調整することができ、施錠機構を確実に解錠操作することが可能となる。
【００１９】
また本発明は、上述した施錠機構の操作装置において、前記ロッド部材には、前記従動片と前記カム部材との当接状態が解除された場合に前記従動片を初期位置に復帰させる復帰バネを連係させたことを特徴とする。
【００２０】
この発明によれば、従動片とカム部材との当接状態が解除された場合、従動片が初期位置に復帰する。
【００２１】
また本発明は、上述した施錠機構の操作装置において、前記施錠機構は、常時施錠状態に付勢する施錠バネを備えたものであり、この施錠バネの付勢力によって前記従動片を初期位置に復帰させることを特徴する。
【００２２】
この発明によれば、施錠機構が有する施錠バネによって従動片を初期位置に復帰させることができるため、部品点数の削減を図ることができる。
【００２３】
また本発明は、上述した施錠機構の操作装置において、前記従動片は、前記スライドバーの移動に伴って前記カム部材が当接し、前記施錠機構が施錠状態から解錠状態に移行された後においては前記スライドバーが同方向にさらに移動している間に前記カム部材との当接状態が解除されるように前記ロッド部材の長手方向に沿った寸法を設定したことを特徴とする。
【００２４】
この発明によれば、施錠機構が解錠状態となった後、障子が全開となるまでの間、継続してカム部材が従動片に当接した状態を維持しないため、障子を開閉する際の操作ハンドルの操作力を低減することができる。
【００２５】
また本発明は、上述した施錠機構の操作装置において、前記開閉リンク機構は、前記障子が閉じた状態にあり、かつ前記施錠機構が施錠状態にある際に前記障子を開くべく前記操作ハンドルが旋回操作された場合、前記施錠機構が解錠状態に移行するまでの間、前記スライダから前記障子への動力伝達を断つ間欠駆動部を有したことを特徴とする。
【００２６】
この発明によれば、操作ハンドルを旋回操作しさえすれば、施錠機構が解錠状態となった後に障子が開く移動を開始することになる。
【００２７】
また、本発明に係る建具は、上述したいずれか一つに記載の施錠機構の操作装置を備えることを特徴とする。
【００２８】
この発明によれば、スライダの移動がロッド部材の回転に変換されて施錠機構の解錠操作として伝達されるため、施錠機構が解錠状態となった後に障子が全開となるまでスライダを移動させた場合にもロッド部材はその場で回転するだけであり、周囲にロッド部材の移動領域を確保する必要がなく、施錠機構による施錠位置に制限を加えることもない。
【発明の効果】
【００２９】
本発明によれば、スライダの移動がロッド部材の回転に変換されて施錠機構の解錠操作として伝達されるため、施錠機構が解錠状態となった後に障子が全開となるまでスライダを移動させた場合にもロッド部材はその場で回転するだけであり、周囲にロッド部材の移動領域を確保する必要がない。従って、例えばスライダが下枠部材に沿って移動するように構成した場合に、下枠部材の見込み面において戸先となる縦框部材との接続部分が施錠位置となるように施錠機構を設けることが可能となる等、施錠機構による施錠位置に制限を加えることがない。
【図面の簡単な説明】
【００３０】
【図１】図１は、本発明の実施の形態である施錠機構の操作装置を適用した建具において障子が閉じた状態を透視的に示す斜視図である。
【図２】図２は、図１に示した建具の障子が室外側に開いた状態を透視的に示す斜視図である。
【図３】図３は、図１に示した操作装置の要部分解斜視図である。
【図４】図４は、図３に示した操作装置の動作を順に示すもので、（ａ）は障子が閉じた状態の要部平面図、（ｂ）は操作ハンドルを旋回操作した後に障子が開く直前の状態の要部平面図、（ｃ）は障子が開いた状態の要部平面図である。
【図５】図５は、図１に示した建具に適用する施錠機構の分解斜視図である。
【図６】図６は、図１に示した操作装置の動作を示すもので、障子が閉じ、かつ施錠機構が施錠状態にある場合の斜視図である。
【図７】図７は、図１に示した操作装置の動作を示すもので、図６に示す状態から操作ハンドルを旋回操作することにより、障子が閉じた状態で施錠機構が解錠状態となった斜視図である。
【図８】図８は、図１に示した操作装置の動作を示すもので、図７に示す状態からさらに操作ハンドルを旋回操作することにより、障子が開くとともに、施錠機構が施錠状態に復帰した斜視図である。
【図９】図９は、図１に示した操作装置の動作を示すもので、図８に示す状態から操作ハンドルを逆方向に旋回操作することにより、施錠機構が解錠状態となった後、障子が閉じる状態を示す斜視図である。
【図１０】図１０は、図５に示した施錠機構の要部を示したもので、（ａ）はロッド部材を戸先側に移動させた場合の施錠機構の施錠状態と解錠状態とを示す平面図、（ｂ）はロッド部材を吊元側に移動させた場合の施錠機構の施錠状態と解錠状態とを示す平面図である。
【発明を実施するための形態】
【００３１】
以下、添付図面を参照しながら本発明に係る施錠機構の操作装置及び建具の好適な実施の形態について詳細に説明する。
【００３２】
図１及び図２は、本発明の実施の形態である建具を示したものである。ここで例示する建具は、いわゆる縦すべり出し窓と称されるもので、開口枠１０及び障子２０を備えて構成してある。開口枠１０は、上枠部材１１、下枠部材１２、左右一対の縦枠部材１３，１４を四周枠組みすることによって構成してある。障子２０は、上框部材２１、下框部材２２、左右一対の縦框部材２３，２４を四周框組みすることによって構成し、その内部にガラス板等の面材２５を保持したものである。尚、図１及び図２においては、左側が戸先で右側が吊元となり、後述する本願の主要構成が透視できるように建具を室外側から描いてある。以下においては便宜上、開口枠１０において戸先側に位置する縦枠部材１３を「戸先枠部材１３」、吊元側に位置する縦枠部材１４を「吊元枠部材１４」と称して両者を区別し、同様に、障子２０の戸先側に位置する縦框部材２３を「戸先框部材２３」、吊元側に位置する縦框部材２４を「吊元框部材２４」と称して両者を区別することとする。
【００３３】
この建具では、上枠部材１１と上框部材２１との間及び下枠部材１２と下框部材２２との間にそれぞれ支持リンク機構３０が設けてあり、開口枠１０に対して障子２０が開閉可能に支持してある。すなわち、本実施の形態の建具では、吊元框部材２４の長手方向を中心として戸先框部材２３が回転可能、かつ吊元框部材２４が上枠部材１１及び下枠部材１２の長手方向に沿ってスライド可能となるように開口枠１０と障子２０との間に支持リンク機構３０が構成してあり、開口枠１０に対して障子２０の戸先框部材２３が室外側に突出するように開くことが可能である。この建具には、下枠部材１２に開閉操作ユニット４０が設けてあるとともに、下枠部材１２と下框部材２２との間に開閉リンク機構５０が設けてある。
【００３４】
開閉操作ユニット４０は、開口枠１０に対して障子２０を開閉する際に操作するもので、図１、図２及び図３に示すように、下枠部材１２の長手方向に沿って配置したフレーム４１の内部に旋回軸部材４２及び送りネジ部材４３を備えている。
【００３５】
旋回軸部材４２は、先端部にマイタドライブギヤ４２ａを備えた柱状部材である。この旋回軸部材４２は、基端部がフレーム４１の外部に突出した状態で中心軸回りに回転可能となるようにフレーム４１に配設してある。フレーム４１の外部に突出した旋回軸部材４２の基端部には、旋回軸部材４２を中心軸回りに回転操作するための操作ハンドル４４が取り付けてある。
【００３６】
送りネジ部材４３は、フレーム４１の長手方向に沿い、かつ中心軸回りに回転可能となるようにフレーム４１の内部に配設してある。送りネジ部材４３の基端部には、旋回軸部材４２のマイタドライブギヤ４２ａに歯合するマイタドリブンギヤ４３ａが設けてある。この送りネジ部材４３には、スライダ４５が螺合してある。スライダ４５は、送りネジ部材４３の長手方向に沿ってスライド可能、かつ送りネジ部材４３の中心軸回りの回転が規制された状態でフレーム４１の内部に配設してある。
【００３７】
この開閉操作ユニット４０では、操作ハンドル４４を旋回操作すると、旋回軸部材４２の回転が送りネジ部材４３に伝達され、スライダ４５が送りネジ部材４３の長手方向に沿って往復移動することになる。
【００３８】
開閉リンク機構５０は、ドリブンアーム５１及びドライブアーム５２を備えている。ドリブンアーム５１は、基端部が支持ブラケット５３を介して開閉操作ユニット４０のフレーム４１に支持させてあり、支持ブラケット５３に対して鉛直方向に沿った中心軸回りに回転することが可能である。ドリブンアーム５１の先端部は、図４の（ａ）に示すように、リンクアーム５４を介して下框部材２２のリンク受部材５５に回転可能に支持させてある。リンク受部材５５は、下框部材２２において吊元框部材２４に近接した部分の室内側に位置する見付け面から室内側に向けて突出したものである。
【００３９】
このドリブンアーム５１は、基端部側に位置する部分が室外側に向けて幅が広くなるように構成してあり、この幅広部分に長孔（間欠駆動部）５１ａ及び係合片（間欠駆動部）５１ｂを有している。長孔５１ａは、ドリブンアーム５１の長手方向に沿って形成した貫通孔である。係合片５１ｂは、長孔５１ａよりも基端部側に位置する部分に設けた幅の狭い矩形状部分であり、上方に向けて屈曲することによりドリブンアーム５１の上面から突出している。
【００４０】
ドライブアーム５２は、基端部を介して開閉操作ユニット４０のスライダ４５に取り付けたものである。ドライブアーム５２の先端部は、室外側に向けて漸次戸先側に近接するように斜めに延在した後に屈曲し、下枠部材１２の長手方向に沿って延在することにより、ドリブンアーム５１の幅広部分を上から覆うように配設してある。
【００４１】
このドライブアーム５２の先端部には、図３に示すように、軸挿通孔５２ａ及びガイド溝５２ｂが設けてある。軸挿通孔５２ａは、連結軸部材５６を挿通させるための円形の貫通孔である。軸挿通孔５２ａに挿通させた連結軸部材５６は、ドリブンアーム５１の長孔５１ａを貫通しており、ドリブンアーム５１に対してドライブアーム５２を鉛直方向に沿った中心軸回りに回転可能、かつ長孔５１ａの長手方向に沿って相対的に移動可能となる状態で連結している。
【００４２】
ガイド溝５２ｂは、ドリブンアーム５１に設けた係合片５１ｂが挿通される一連の切欠であり、弧状溝部５２ｂ１及び間欠用溝部５２ｂ２を有して構成してある。弧状溝部５２ｂ１は、連結軸部材５６がドリブンアーム５１に形成した長孔５１ａの基端部側に位置した状態でドリブンアーム５１が連結軸部材５６を中心としてドライブアーム５２に対して回転した場合に、係合片５１ｂの移動軌跡となる部分に形成してある。弧状溝部５２ｂ１の径方向に沿った幅は、係合片５１ｂを唯一挿通させることのできる寸法に設定してある。間欠用溝部５２ｂ２は、弧状溝部５２ｂ１から径方向に沿って形成した直線状の溝である。この間欠用溝部５２ｂ２は、ドリブンアーム５１の先端部が最も室内側に位置した状態において、連結軸部材５６がドリブンアーム５１に形成した長孔５１ａに沿って移動した場合の係合片５１ｂの移動軌跡となる部分に形成してある。間欠用溝部５２ｂ２の見込み方向に沿った幅は、係合片５１ｂを唯一挿通させることのできる寸法に設定してある。
【００４３】
上記のように構成した開閉リンク機構５０では、図４の（ａ）に示すように、送りネジ部材４３に対してスライダ４５が吊元側の端部に配置された場合、連結軸部材５６が長孔５１ａの先端部側周面を介してドリブンアーム５１を押し込んだ状態となるため、ドリブンアーム５１が基端部を中心として反時計方向に回転し、先端部が最も室内側に位置するとともに、吊元枠部材１４に最も接近した状態となる。ドリブンアーム５１の係合片５１ｂは、間欠用溝部５２ｂ２の外周側端部に位置し、連結軸部材５６を中心としたドライブアーム５２とドリブンアーム５１との相対回転を制限している。この状態においては、リンクアーム５４を介して下框部材２２のリンク受部材５５が吊元側に押圧されるため、障子２０が開口枠１０に対して閉じた状態に配置される。
【００４４】
障子２０が閉じた状態において操作ハンドル４４を旋回操作し、送りネジ部材４３に対してスライダ４５を戸先側に向けて移動させると、図４の（ｂ）に示すように、連結軸部材５６が長孔５１ａの基端部側周面に当接するまでの間、ドライブアーム５２のみが戸先側に移動し、障子２０が継続して閉じた状態を維持する。尚、ドリブンアーム５１の係合片５１ｂは、連結軸部材５６が長孔５１ａの基端部側周面に当接した時点で間欠用溝部５２ｂ２と弧状溝部５２ｂ１との合流点に位置した状態となる。
【００４５】
連結軸部材５６が長孔５１ａの基端部側周面に当接した状態でさらに操作ハンドル４４を同方向に旋回操作し、送りネジ部材４３に対してスライダ４５を戸先側に向けて移動させると、連結軸部材５６が長孔５１ａの基端部側周面を介してドリブンアーム５１を押し込むため、図４の（ｃ）に示すように、ドリブンアーム５１が基端部を中心として時計方向に回転し、先端部が室外側に移動する。このとき、ドリブンアーム５１の係合片５１ｂは、連結軸部材５６を中心とした弧状溝部５２ｂ１に位置しているため、ドライブアーム５２とドリブンアーム５１との相対回転に制限を加えることはない。この結果、リンクアーム５４を介して下框部材２２のリンク受部材５５が戸先側に引っ張られるため、障子２０が開口枠１０に対して開かれることになる。
【００４６】
障子２０が開いた状態において操作ハンドル４４を先とは逆方向に旋回操作すると、送りネジ部材４３に対してスライダ４５が吊元側に移動し、これに伴ってドライブアーム５２も吊元側に移動する。このとき、ドリブンアーム５１の係合片５１ｂは、ガイド溝５２ｂの弧状溝部５２ｂ１に位置しているため、弧状溝部５２ｂ１の周面を介してドリブンアーム５１を押し込むように機能する。この結果、ドリブンアーム５１が基端部を中心として反時計方向に回転し、障子２０が開口枠１０に対して閉じられる。障子２０が完全に閉じた状態においては、ドリブンアーム５１の係合片５１ｂが間欠用溝部５２ｂ２と弧状溝部５２ｂ１との合流点に位置した状態となる。従って、操作ハンドル４４をさらに同方向に旋回操作し、送りネジ部材４３に対してスライダ４５を吊元側に移動させれば、図４の（ａ）に示すように、連結部材が長孔５１ａの先端部周面に当接した状態に復帰することになる。
【００４７】
一方、この建具には、図１、図２及び図５に示すように、障子２０の戸先框部材２３と、開口枠１０の戸先枠部材１３との間に上下２つの施錠機構６０が構成してある。施錠機構６０は、施錠状態となった場合に開口枠１０に対して障子２０を閉じた状態に維持する一方、解錠状態となった場合に開口枠１０に対する障子２０の開閉移動を許容するものである。本実施の形態では、戸先框部材２３において戸先枠部材１３に対向する見込み面に施錠爪６１を設けるとともに、戸先枠部材１３の見込み面において施錠爪６１に対応する部位に施錠フック６２を設けてそれぞれの施錠機構６０を構成している。
【００４８】
施錠爪６１は、戸先框部材２３の見込み面から戸先枠部材１３の見込み面に向けて突出したもので、ガイド面６１ａ及び施錠面６１ｂを有している。ガイド面６１ａは、戸先枠部材１３の見込み面に対向する平面であり、室内側から室外側に向けて漸次戸先枠部材１３の見込み面に近接するように傾斜している。施錠面６１ｂは、施錠爪６１において最も室外側に位置した平面であり、戸先框部材２３の見込み面に対して直角となる方向に沿って形成してある。
【００４９】
施錠フック６２は、軸部６２ａの周面からフックプレート部６２ｂが突出したもので、軸部６２ａを介して上下一対のフックベース６３の間に回転可能に配設してある。フックプレート部６２ｂには、施錠爪６１を挿通させることのできるフック孔６２ｃが形成してある。この施錠フック６２は、軸部６２ａが鉛直方向に沿う状態でフックベース６３を介して戸先枠部材１３の見込み面に取り付けてある。一対のフックベース６３の間には、一対のピン６４，６４が配設してある。また、フックベース６３には、それぞれフックプレート部６２ｂの回転範囲を規定するための突起６３ａが設けてある。フックプレート部６２ｂは、フックベース６３の突起６３ａで規定される回転範囲で軸部６２ａの中心軸回りに回転し、先端部が室外側に向いて戸先枠部材１３の見込み面と平行となるように配置された施錠位置と、先端部が戸先枠部材１３の見込み面に近接するように配置された解錠位置との間を移動することが可能である。
【００５０】
障子２０が閉じた状態でフックプレート部６２ｂが施錠位置に配置された場合には、障子２０の施錠爪６１がフック孔６２ｃに配置され、施錠爪６１の施錠面６１ｂがフック孔６２ｃの内周面に当接することにより、開口枠１０に対して障子２０の開く方向への移動が阻止される（施錠機構６０の施錠状態）。
【００５１】
これに対してフックプレート部６２ｂが解錠位置に配置された場合には、フックプレート部６２ｂと施錠爪６１とが接触することなく、開口枠１０に対して障子２０を開閉移動させることが可能である（施錠機構６０の解錠状態）。
【００５２】
図には明示していないが、一方のピン６４には、フックプレート部６２ｂを常時施錠位置に向けて付勢する施錠バネ（復帰バネ）６５が配設してある。また、フックプレート部６２ｂの先端部には、スライドガイド面６２ｄが設けてある。スライドガイド面６２ｄは、フックプレート部６２ｂが施錠位置に配置された状態において、先端に向かうに従って漸次戸先枠部材１３の見込み面に近接するように傾斜したものである。このスライドガイド面６２ｄは、施錠位置に配置された状態で障子２０が閉じた場合に施錠爪６１のガイド面６１ａに当接し、施錠バネ６５の付勢力に抗してフックプレート部６２ｂを解錠位置に向けて回転させるように機能する。
【００５３】
また、施錠機構６０の施錠フック６２には、連動軸部材６６及び延長軸部材６７が設けてある。連動軸部材６６は、上下に設けた２つの施錠フック６２が連動するように互いの軸部６２ａの間を連結するものである。延長軸部材６７は、下方に位置する施錠機構６０の軸部６２ａに連結されたもので、その下端部が障子２０の下框部材２２を超えて下方に延在し、軸受部材６８に回転可能に支持させてある。延長軸部材６７の下端部には、入力片部６７ａが設けてある。入力片部６７ａは、延長軸部材６７の下端部から外周側に向けて突出した平板状部分である。この入力片部６７ａは、施錠機構６０のフックプレート部６２ｂが施錠位置に配置された場合、延長軸部材６７から吊元枠部材１４に向けて水平に突出するように延長軸部材６７に取り付けてある。
【００５４】
さらに、この建具には、図１及び図２に示すように、下枠部材１２の見込み面において開閉操作ユニット４０と戸先枠部材１３の見込み面との間なる位置にスライドバー（動力変換機構）８０及びロッド部材９０が設けてある。スライドバー８０は、下枠部材１２の長手方向に沿って配設した長尺の平板状部材であり、下枠部材１２の長手方向に沿ってスライド可能となる状態で下枠部材１２の見込み面に支持させてある。スライドバー８０の基端部は、連結ブラケット８１を介して開閉操作ユニット４０のスライダ４５に連結してある。このスライドバー８０には、戸先側に位置する先端部にカム部材（動力変換機構）８２が設けてある。カム部材８２は、スライドバー８０から上方に向けて凸となるように形成したものである。カム部材８２において戸先側に位置する部分及び吊元側に位置する部分には、それぞれ傾斜するカム面８２ａ１，８２ａ２が設けてある。戸先側のカム面８２ａ１は、中央の突部から戸先側に向かうに従って漸次高さが低くなるように構成してあり、吊元側のカム面８２ａ２は、中央の突部から吊元側に向かうに従って漸次高さが低くなるように構成してある。
【００５５】
ロッド部材９０は、スライドバー８０と戸先枠部材１３との間に下枠部材１２の長手方向に沿って配設した長尺の角柱状部材であり、長手方向に沿った中心軸回りに回転可能となる状態で軸受部材９０ａを介して下枠部材１２の見込み面に支持させてある。このロッド部材９０は、軸受部材９０ａの止めネジ９０ｂを締め方向に螺合させた場合に長手方向に沿った移動が阻止される一方、止めネジ９０ｂを弛緩させれば、軸受部材９０ａに対して長手方向に移動することが可能である。ロッド部材９０において吊元側に位置する端部は、スライドバー８０の上方に位置した状態にある。
【００５６】
このロッド部材９０には、戸先側に位置する端部にストライカ９１が設けてあり、吊元側に位置する端部に従動片（動力変換機構）９２が設けてある。ストライカ９１及び従動片９２は、それぞれロッド部材９０の長手方向に交差する方向に向けて突出した板状部材である。ストライカ９１は、ロッド部材９０から下方に向けて突出し、延長軸部材６７の入力片部６７ａと、下枠部材１２に設けたストッパ片９３との間に挟持されている。ストッパ片９３は、下枠部材１２の見込み面から上方に突出した平板状部材である。このストッパ片９３は、施錠機構６０のフックプレート部６２ｂが施錠位置に配置された場合に、延長軸部材６７から突出した入力片部６７ａに対して室内側から平行となるように設けてある。従動片９２は、ストライカ９１が延長軸部材６７の入力片部６７ａと下枠部材１２に設けたストッパ片９３との間に挟持されている場合に、ロッド部材９０の上面から室外側に向けてほぼ水平となるように突出したものである（初期位置）。
【００５７】
この従動片９２は、以下に記載する条件を満足するようにロッド部材９０の長手方向に沿った方向の寸法が設定してある。まず、開閉リンク機構５０が図４の（ａ）に示す状態にある場合、つまり、連結軸部材５６が長孔５１ａの先端部側周面に当接した状態にある場合には、カム部材８２に対して戸先側に位置している。開閉リンク機構５０が図４の（ｂ）に示す状態にある場合、つまり、連結軸部材５６が長孔５１ａの基端部側周面に当接した状態となった場合には、カム部材８２の中央の突部が当接する。開閉リンク機構５０が図４の（ｃ）に示す状態にある場合、つまりドリブンアーム５１が基端部を中心として時計方向に回転し、先端部が室外側に移動を開始した後においては、カム部材８２に対して吊元側に位置し、以降スライドバー８０が同方向に移動した場合にもカム部材８２と係合しない。
【００５８】
上記のように構成した建具では、図６に示すように、開口枠１０に対して障子２０が閉じた状態において操作ハンドル４４を旋回操作し、送りネジ部材４３に対してスライダ４５を戸先側に向けて移動させると、連結ブラケット８１を介してスライドバー８０も戸先側に移動し、直ちにカム部材８２の戸先側に位置するカム面８２ａ１が、初期位置に配置された従動片９２に当接することになる。従動片９２にカム部材８２のカム面８２ａ１が当接すると、図７に示すように、その傾斜面に沿って従動片９２が漸次上方に押し上げられることになる。従動片９２が上方に押し上げられると、従動片９２を設けたロッド部材９０が長手方向に沿った中心軸回りに回転し、ロッド部材９０から下方に向けて突出したストライカ９１が室外側に向けて回転することにより、ストライカ９１が施錠機構６０の延長軸部材６７に設けた入力片部６７ａに当接し、入力片部６７ａも室外側に向けて回転する。これにより、施錠バネ６５の付勢力に抗してフックプレート部６２ｂが解錠位置に移動し、施錠機構６０が解錠状態となる。
【００５９】
ここで、軸受部材９０の止めネジ９０ｂを弛緩させてロッド部材８０を長手方向に移動させると、図１０に示すように、入力片部６７ａに対するストライカ９１の当接位置が変更されることになる。すなわち、図１０の（ａ）に示すように、ロッド部材８０を戸先側に移動させると、ストライカ９１が延長軸部材６７の中心側に寄った位置で入力片部６７ａに当接することになる。これに対して図１０の（ｂ）に示すように、ロッド部材８０を吊元側に移動させると、ストライカ９１が延長軸部材６７の中心から離れた位置で入力片部６７ａに当接することになる。従って、図１０の（ａ）に示す状態と、図１０の（ｂ）に示す状態とでは、ロッド部材８０が同じ角度だけ回転した場合の延長軸部材６７の回転角度が図１０の（ａ）に示した状態の方が大きくなる。これにより、軸受部材９０ａに対するロッド部材８０の位置を調整することにより、施錠機構６０を確実に解錠操作することが可能となる。
【００６０】
上述した操作ハンドル４４の旋回操作により施錠機構６０が施錠状態から解錠状態となる動作は、開閉リンク機構５０が図４の（ａ）から図４の（ｂ）に至るまでの間に行われるものである。つまり、開口枠１０に対して障子２０が開き動作を開始する以前に施錠機構６０が解錠状態となる。また、施錠機構６０の解錠状態は、開閉リンク機構５０が図４の（ｃ）に示す状態となるまで継続する。従って、上記建具によれば、開口枠１０に対して障子２０が閉じた状態において操作ハンドル４４を旋回操作しさえすれば、施錠機構６０が施錠状態から解錠状態に移行し、その後、障子２０の開く動作が順次行われて障子２０を全開位置まで開くことが可能となる。
【００６１】
ここで、上述の建具においては、スライダ４５の移動がロッド部材９０の回転に変換されて施錠機構６０の解錠操作として伝達されるため、施錠機構６０が解錠状態となった後に障子２０が全開となるまでスライダ４５を移動させた場合にもロッド部材９０はその場で回転するだけであり、周囲にロッド部材９０が移動するための領域を確保する必要がない。従って、スライダ４５が下枠部材１２に沿って移動するように構成した上述の建具においても、下枠部材１２に直交する戸先框部材２３と戸先枠部材１３との間が施錠位置となるように施錠機構６０を設けることが可能となる。
【００６２】
また、開口枠１０に対して障子２０が開いた場合には、図８に示すように、従動片９２とカム部材８２との当接状態が解除されるため、施錠バネ６５によって施錠機構６０が施錠状態に復帰する。これに伴って延長軸部材６７の入力片部６７ａがストッパ片９３に近接するように移動し、ストライカ９１がストッパ片９３と入力片部６７ａとの間に挟持されるため、ロッド部材９０が逆方向に回転して従動片９２が初期位置に復帰することになる。これらの結果、施錠機構６０が解錠状態となった後の操作ハンドル４４の操作力を低減できる効果がある。さらに、障子２０が開いている場合にも施錠機構６０の施錠バネ６５については負荷が加えられていない状態となるため、使用が長期にわたった場合にも施錠バネ６５がへたる等の問題を招来するおそれがなくなる。
【００６３】
一方、障子２０が開いた状態において操作ハンドル４４を逆方向に旋回操作すると、上述したように、操作ハンドル４４の旋回移動に伴ってスライドバー８０が逆方向に移動され、開閉リンク機構５０を介して障子２０が開口枠１０に対して閉じられることになる。この間、障子２０に設けた施錠爪６１が施錠フック６２に当接する以前にカム部材８２の吊元側に位置するカム面８２ａ２が、初期位置に配置された従動片９２に当接することになる。従動片９２にカム部材８２のカム面８２ａ２が当接すると、図９に示すように、その傾斜面に沿って従動片９２が漸次上方に押し上げられることになり、先と同様、ロッド部材９０の回転がストライカ９１及び入力片部６７ａを介して延長軸部材６７の回転として伝達され、施錠機構６０が解錠状態となる。その後の操作ハンドル４４の旋回操作により、障子２０が閉じた後に従動片９２とカム部材８２との当接状態が解除され、施錠バネ６５によって施錠機構６０が施錠状態に復帰し、障子２０が閉じた状態に維持される。
【００６４】
上述した施錠機構６０においては、施錠爪６１にガイド面６１ａを設けるとともに、施錠フック６２にスライドガイド面６２ｄを設けるようにしている。従って、仮に施錠機構６０が解錠状態となる以前に開口枠１０に対して障子２０が閉じられるような状況となった場合にも、施錠フック６２に施錠爪６１が当接した時点で、これらガイド面６１ａもしくはスライドガイド面６２ｄの傾斜作用により、施錠フック６２が施錠バネ６５の付勢力に抗して解錠位置に移動し、その後、施錠爪６１がフック孔６２ｃに到達した時点で施錠位置に復帰することになり、施錠機構６０に損傷を来すおそれはない。
【００６５】
尚、上述した実施の形態では、建具として縦すべり出し窓を例示しているが、必ずしもこれに限定されず、横すべり出し窓や開き窓に適用することも可能である。また、下枠部材１２にスライダ４５を設けた建具に対して、戸先に位置する枠部材１３と框部材２３との間に施錠機構６０を設けるようにしているが、これに限定されず、例えば、下枠部材にスライダを設けた建具に対して下枠部材に施錠機構を設けても良い。施錠機構の数も必ずしも２つである必要はない。
【００６６】
また、上述した実施の形態では、施錠機構６０が解錠状態となった後、障子２０が全開となるまでの間、継続してカム部材８２が従動片９２に当接した状態を維持しないように構成しているため、障子２０を開閉する際の操作ハンドル４４の操作力を低減することができるが、施錠機構６０が解錠状態となった以降においてもカム部材８２と従動片９２とが当接状態を継続するように構成することも可能である。
【００６７】
さらに、上述した実施の形態では、ロッド部材９０に設けた従動片９２とスライドバー８０に設けたカム部材８２とを当接させることによってロッド部材９０を回転させるように構成しているため、複雑な構造を要することなく動力変換機構を備えた装置の具現化を図ることができるが、その他の動力変換機構を適用しても良い。
【００６８】
またさらに、上述した実施の形態では、施錠機構６０が備える施錠バネ６５を復帰バネとして兼用しているが、必ずしも施錠機構の施錠バネを用いる必要はなく、例えば、ロッド部材と枠部材との間に復帰バネを設けるようにしても良い。
【符号の説明】
【００６９】
１０  開口枠、１２  下枠部材、２０  障子、４４  操作ハンドル、４５  スライダ、５０  開閉リンク機構、５１ａ  長孔、５１ｂ  係合片、６０  施錠機構、６５  施錠バネ、６７  延長軸部材、６７ａ  入力片部、８０  スライドバー、８２  カム部材、９０  ロッド部材、９１  ストライカ、９２  従動片
【図１】
2015151825.tif 000003
【図２】
2015151825.tif 000004
【図３】
2015151825.tif 000005
【図４】
2015151825.tif 000006
【図５】
2015151825.tif 000007
【図６】
2015151825.tif 000008
【図７】
2015151825.tif 000009
【図８】
2015151825.tif 000010
【図９】
2015151825.tif 000011
【図１０】
2015151825.tif 000012